(57)【要約】【課題】移動体の現在位置において、聴取の良好な放送局を順位付けして提示して、ユーザーのスムーズな選局を可能とする。【解決手段】視聴すべき放送局の電波を受信する第１のチューナー２と、前記第１のチューナー２のバックグランドで動作して前記放送局以外の受信帯域をスキャンする第２のチューナー４と、前記第２のチューナー４で受信した放送局の電界強度を強い順にリストを作成する演算制御部６と、前記演算制御部６で作成されたリストを表示し選択する表示操作部７とを備えたものである。【選択図】図１
2011035883.tif 000002
【特許請求の範囲】
【請求項１】
視聴すべき放送局の電波を受信する第１のチューナーと、前記第１のチューナーのバックグランドで動作して前記放送局以外の受信帯域をスキャンする第２のチューナーと、前記第２のチューナーで受信した放送局の電界強度を取得し、電界強度の強い順にリストを作成する演算制御部と、前記演算制御部で作成されたリストを表示する表示操作部とを備えた車載用放送受信機。
【請求項２】
表示リストの最上位は現在視聴している放送局を表示することを特徴とする請求項１記載の車載用放送受信機。
【請求項３】
第２のチューナーで受信した放送局の電界強度を保存するメモリを備え、演算制御部は前記メモリから読み出した電界強度に基づいて強い順にリストを作成することを特徴とする請求項１記載の車載用放送受信機。
【請求項４】
演算制御部は定期的に第２のチューナーを制御して得られた電界強度でメモリに保存する電界強度を更新することを特徴とする請求項３記載の車載用放送受信機。
【発明の詳細な説明】
【技術分野】
【０００１】
この発明は複数のチューナーを備え、バックグランドで動作するチューナーを用いて受信状況の良好な放送局を順位付けして表示する機能を有する車載用放送受信機に関するものである。
【背景技術】
【０００２】
移動体に搭載された車載用放送受信機において、現在位置で受信可能な放送局について、電界強度の強い順に表示させる従来技術として特許文献１、特許文献２および特許文献３がある。
特許文献１はシングルチューナーでの動作を前提としており、また、スキャン、オートメモリ動作終了時には最強の受信電界局を選局する動作としている。
特許文献２はＧＰＳシステムを使用し、現在位置と放送局の位置データリストに基づいて考えられる受信局リストを作成する。
特許文献３は受信可能な局リストの中から、ユーザーがプリセットメモリを決定する実施形態をとる。
【先行技術文献】
【特許文献】
【０００３】
【特許文献１】特開平０７-２０２６４２号公報
【特許文献２】特開平０９-１３５１８４号公報
【特許文献３】特許第３８３００８７号公報
【発明の概要】
【発明が解決しようとする課題】
【０００４】
しかしながら、特許文献１記載のものでは、ユーザーはスキャンが終了するまで放送の視聴を中断しなければならないこと、スキャン終了時にはユーザーの好みに関わらず、自動で選局されてしまう課題があった。また、特許文献２記載のものでは、あらかじめ蓄えておかなくてはならないデータが多いこと、山間部など放送局の電波が直接届きにくい環境において、正確なリストを提供しにくいこと、コミュニティ局など、小規模の局への対応がしにくいという課題があった。さらに、特許文献３に記載のものでは、ユーザーはプリセット局を設定する手間がかかるという課題があった。
【０００５】
この発明は上記のような課題を解消するためになされたもので、移動体の現在位置において、聴取の良好な放送局を順位付けして提示し、ユーザーのスムーズな選局を可能とする車載用放送受信機を得ることを目的とする。
【課題を解決するための手段】
【０００６】
この発明に係る車載用放送受信機は、視聴すべき放送局の電波を受信して復調信号を出力する第１のチューナーと、前記第１のチューナーのバックグランドで動作して前記放送局以外の受信帯域をスキャンする第２のチューナーと、前記第２のチューナーで受信した放送局の電界強度を取得し、電界強度の強い順にリストを作成する演算制御部と、前記演算制御部で作成されたリストを表示し選択する表示操作部とを備えたものである。
【発明の効果】
【０００７】
この発明によれば、視聴すべき放送局の電波を受信して復調信号を出力する第１のチューナーのバックグランドにおいて、第２のチューナーで前記放送局以外の受信帯域を定期的にスキャンし、電界強度の強い順にリストを作成することにより、スキャンを行う場合も現在の視聴状態を継続することができる。また、受信可能な放送局のリストについて、常に最新のデータを入手し、視聴が良好な放送局を順位付けして表示するので、ユーザーは円滑な選局が可能である。
【図面の簡単な説明】
【０００８】
【図１】実施の形態１による車載用放送受信機の構成を示すブロック図である。
【図２】全体の動作を説明するフローチャートである
【図３】電界強度取得、順位リスト作成のフローチャートである。
【図４】リスト最上位に現視聴局を表示させる場合のフローチャートである。
【図５】マーク付与時の順位リスト作成のフローチャートである。
【図６】プリセットメモリへのインジゲーター設定のフローチャートである。
【図７】リスト表示された電界強度の表示形態図である。
【図８】リスト表示された電界強度の表示形態図である。
【図９】リスト表示された電界強度の表示形態図である。
【図１０】リスト表示された電界強度の表示形態図である。
【図１１】リスト表示された電界強度の表示形態図である。
【発明を実施するための形態】
【０００９】
以下、この発明の実施の形態を図面について詳細に説明する。
実施の形態１．
図１はこの発明の実施の形態１による車載用放送受信機１０の構成を示すブロック図であり、ラジオチューナーを２個使用した場合である。アンテナ１を備えたチューナー２（第１のチューナ）は通常の受信動作を行い、復調信号を出力するとともに、現在視聴を行なっている放送局の周波数情報（データ１）をメモリ５−１に保存する。アンテナ３を備えたチューナー４（第２のチューナ）は、チューナー２のバックグラウンドで定期的にスキャン動作を行い、バンド内の各周波数に対して電界強度の読み出しを行い、その電界強度をメモリ５−２に保存する。
【００１０】
演算制御部６は文字放送等受信処理部６ａ、電界強度取得順位リスト作成部６ｂ、表示データ作成部６ｃを備えている。電界強度取得順位リスト作成部６ｂはメモリ５−２に保存された電界強度の値を読み出し、電界強度の強い順にソートし、ソート結果を順位リスト（データ２）としてメモリ５−２に保存する。表示データ作成部６ｃはメモリ５−２から順位リストを読み出して、表示操作部７にリストを表示させる。ただし、表示されるリストの最上位には、メモリ５−１から読み出した、現在視聴を行なっている放送局を継続して表示させることにより、ユーザーの混乱回避を図る。
【００１１】
バックグラウンドで動作させるチューナー４を用いる構成とすることにより、単一のチューナー２のみでの構成と比較して、ユーザーにとっては、現在視聴を行なっている放送局を途切れることなく他局の受信状況の良否を知ることができ、スムーズな選局を行うことができるメリットがある。
【００１２】
チューナー４においてスキャンさせるタイミングについては、前回スキャンから所定時間が経過した場合、または車速パルスやＧＰＳによる位置速度データなどを検出し、自車の環境が変化したと判断される場合等をトリガとして行う。
【００１３】
チューナー４のスキャン動作は、一定の間隔をおいて定期的に行なわれるものであるため、スキャン動作を行なわない間には、切換スイッチＳＷを接点ｂから接点ａに切換えて、チューナー４の受信信号を文字放送等受信処理部６ａに入力することにより、ラジオ・データ・システムや交通情報など、データ放送の受信、またダイバーシティによる放送受信等、他の動作を行なうことができる。
【００１４】
また、作成された電界強度の順位リストについては、表示操作部７に表示した後で図示しないプリセットメモリに格納する方法と、単に表示操作部７での表示を変更するのみで、プリセットメモリには格納しない方法の２通りが考えられる。
【００１５】
図１ではラジオチューナーを２個使用した場合の構成例を示したが、この発明は、アナログＴＶ・デジタルＴＶ・デジタル音声放送等についても実施可能である。また、チューナーは２個ないしそれ以上の個数を用いて動作させることもできる。
【００１６】
以下、この発明の実施の形態１による車載用放送受信機１０の動作を図２のフローチャートについて説明する。まず、演算制御部６は表示操作部７からの操作信号を受けると、チューナー２を動作させて、アンテナ１からの受信信号について通常の受信動作を行い、復調信号を図示省略したスピーカに出力する。一方、チューナー４は常時動作を一時停止（割り込み）させて（ステップＳＴ２１）、チューナー２から現在視聴を行なっている放送局（現視聴局）の電界強度データを取得してメモリ５−１に書き込む（ステップＳＴ２２）。次いで、電界強度データ取得、順位リスト作成（ステップＳＴ２３）、表示データ作成（ステップＳＴ２４）、チューナー４の常時動作を再開（割り込み解除）させて（ステップＳＴ２５）、動作を終了する。
【００１７】
図３は上記の電界強度データ取得、順位リストを作成するフローチャートを示すもので、動作を開始すると、チューナー４をバンド内下限（上限）へチューニングし（ステップＳＴ３１）、バンド内上限（下限）周波数かを判断する（ステップＳＴ３２）。ＮＯであれば、チュ−ナー４から電界強度情報を取得してメモリ５−２に書込み（ステップＳＴ３３）、チューニング周波数を１ステップ上げ（下げ）てステップＳＴ３２に戻る（ステップＳＴ３４）。一方、ステップＳＴ３２の判断がＹＥＳの場合は、メモリ５−２内の電界強度データをソートし（ステップＳＴ３５）、ソート結果を順位リストとしてメモリ５−２にデータ２として書込み（ステップＳＴ３６）、動作を終了する。
【００１８】
図４はリスト最上位に現在の視聴局を表示する表示データを作成するフローチャートを示すもので、動作を開始すると、メモリ５−１からデータ１を取得し（ステップＳＴ４１）、メモリ５−２からデータ２を取得し（ステップＳＴ４２）、データ２の（表示件数分−１）件及びデータ１、つまり、現在視聴を行なっている放送局を最上位として表示データを作成し（ステップＳＴ４３）、動作を終了する。
【００１９】
図５はマーク付与時の順位リストを作成するフローチャートを示すもので、動作を開始すると、図２に示すフローチャートのステップＳＴ２３における電界強度データ取得、順位リスト作成動作を実施（ステップＳＴ５１）、メモリ５−１からデータ１を取得（ステップＳＴ５２）、メモリ５−２からデータ２を取得（ステップＳＴ５３）、データ２の上位（表示件数内）にデータ１に該当の周波数情報が存在するかを判断する（ステップＳＴ５４）。判断の結果がＮＯの場合は、データ２の上位（表示件数分）を使用し、表示データ作成を行ない（ステップＳＴ５５）、上記判断の結果がＹＥＳの場合はデータ２の（表示件数分−１）件及びデータ１を最下位として表示データを作成（ステップＳＴ５６）、つまり、現在視聴を行なっている放送局を表示し、データ１からマークを付与して動作を終了する。
【００２０】
図６はプリセットメモリへのインジケータの表示データを作成するフローチャートを示すもので、動作を開始すると、図２に示すフローチャートのステップＳＴ２３における電界強度データ取得、順位リスト作成動作を実施（ステップＳＴ６１）、プリセットメモリに格納されている周波数取得（ステップＳＴ６２）、メモリ５−２からデ−タ２を取得する（ステップＳＴ６３）。次いで、データ２の中からプリセットメモリ周波数の電界強度データを取得（ステップＳＴ６４）、取得した電界強度値に応じてインジケータ設定（ステップＳＴ６５）、動作を終了する。
【００２１】
なお、チューナー４がアンテナ３からの受信信号を入力して、バンド内の各周波数に対して電界強度の読み出しを行い、その電界強度の値をメモリ５に保存するスキャン動作は、演算制御部６から定期的に出力されるスキャン信号、あるいはＧＰＳ信号取得部８からのＧＰＳ信号に基づき自車位置が規定距離移動したことが検出されたとき演算制御部６から出力されるスキャン信号、車速パルス取得部９からの車速信号が規定速度を超えたことが検出されたとき演算制御部６から出力されるスキャン信号に基づいて行なわれる。
【００２２】
図７〜図１１はリスト表示された電界強度の表示形態を具体的に示したものある。図７は表示操作部７の表示画面を示すもので、カーナビゲーションシステムにおいて、ラジオモードとし、受信可能な放送局リストを全画面表示させた場合の表示例を示す。リスト表示画面の２位以下２２については、直前のスキャンによって得られた受信電界強度の強い順にリスト表示を行い、メモリ５−２への格納データが更新される都度、表示の更新を行なう。ただし、表示されるリストの最上位２１については、受信電界強度に関係なく、メモリ５−１から読み込まれた現在視聴を行っている放送局を表示することで、ユーザーの混乱回避を図る。
【００２３】
図８はカーナビゲーションにおける地図画面を表示させている場合の表示例を示す。地図表示画面の端に受信可能な放送局リストを重ねて表示し、図７と同様、リスト表示画面の２位以下３２を定期的に更新させることが考えられる。図８では地図画面の上部３１に現在視聴している放送局を表示しているが、図７の場合と同様に、現在視聴している放送局をリスト最上位に固定して表示させることと、現在の視聴局を順位リストの中に組み込んでマーク３３とともに表示させることが考えられる。
【００２４】
図９は図７のように、カーナビゲーションシステムにおいて、ラジオモードとし、受信可能な放送局リストを全画面表示させた場合の表示例を示す。リスト表示画面に、各放送局の電界強度について、図６に示す動作によって、インジケータ４３を表示させることで、ユーザーに対して受信状況の良否を明瞭に示すものである。この場合も、現在視聴している放送局をリスト最上位に表示させる方法と、現在の視聴局を順位リストの中に組み込んで表示させることが考えられる。
【００２５】
図１０は、リスト表示枠に対して、良好な受信が可能と判断される放送局リスト数が少ない場合の表示例を示す。表示される放送局のリスト下位５２について、受信が良好に行なえると判断されて設定された閾値より電界強度が下回る場合、表示操作部７での表示を暗くする等して、良好な受信が行なえないことをユーザーに通知する。この場合、リスト下位５２の放送局については、ユーザーが選択できないようにする方法と、良好な受信が行なえないことを通知した上で選局を行なうことが考えられる。
【００２６】
図１１は、図１０の場合と同様に受信が良好と判断される放送局リスト数が表示枠より少ない場合、良好な受信を行なうことのできない放送局については、表示を行なわない場合の表示例を示す。つまり、良好な受信を行なうことのできないリスト下位６２に該当する放送局については空欄表示とすることが考えられる。
【００２７】
以上のように、この実施の形態によれば、第１のチューナーのバックグランドで動作する第２のチューナーにより、現在視聴している放送局の聴取を中断することなく、受信放送局以外のバンドを定期的にスキャンすることが可能になる。そして、スキャンにより受信した放送局の電界強度を、その電界強度の強い順にリスト表示するので、ユーザーは円滑な選局が可能である。
【符号の説明】
【００２８】
１，３  アンテナ、２，４  チューナー、５−１，５−２  メモリ、６  演算制御部、６ａ  文字放送等受信処理部、６ｂ  電界強度取得順位リスト作成部、６ｃ表示データ作成部、７  表示操作部、８  ＧＰＳ信号取得部、９  車速パルス取得部、２１，３１，４１，５１，６１  最上位、２２，３２，４２  ２位以下、４３  インジケータ、５２，６２  リスト下位。
【図１】
2011035883.tif 000003
【図２】
2011035883.tif 000004
【図３】
2011035883.tif 000005
【図４】
2011035883.tif 000006
【図５】
2011035883.tif 000007
【図６】
2011035883.tif 000008
【図７】
2011035883.tif 000009
【図８】
2011035883.tif 000010
【図９】
2011035883.tif 000011
【図１０】
2011035883.tif 000012
【図１１】
2011035883.tif 000013